(57)【要約】【課題】より高精度にバッテリ残値を算出する。【解決手段】バッテリを装備した携帯型情報処理端末であって、携帯型情報処理端末にて作動可能な動作パターン毎におけるバッテリの消費量を表す消費量情報が予め記憶されたバッテリ消費量記憶手段と、バッテリの出力電圧値の変化状況を表すバッテリ出力変化情報が記憶されるバッテリ出力変化記憶手段と、バッテリの出力電圧値を検出すると共に、検出した出力電圧値の変化状況をバッテリ出力変化情報としてバッテリ出力変化記憶手段に記憶する電圧検出手段と、携帯型情報処理端末にて作動中の動作パターンを検出する動作パターン検出手段と、消費量情報と、バッテリ出力変化情報と、検出した出力電圧値及び動作パターンと、に基づいて、現在時刻におけるバッテリの予測残値を算出するバッテリ残値算出手段と、を備えた。【選択図】図１
2008136289.tif 000002
【特許請求の範囲】
【請求項１】
バッテリを装備した携帯型情報処理端末であって、
携帯型情報処理端末にて作動可能な動作パターン毎における前記バッテリの消費量を表す消費量情報が予め記憶されたバッテリ消費量記憶手段と、
前記バッテリの出力電圧値の変化状況を表すバッテリ出力変化情報が記憶されるバッテリ出力変化記憶手段と、
前記バッテリの出力電圧値を検出すると共に、検出した出力電圧値の変化状況を前記バッテリ出力変化情報として前記バッテリ出力変化記憶手段に記憶する電圧検出手段と、
携帯型情報処理端末にて作動中の動作パターンを検出する動作パターン検出手段と、
前記消費量情報と、前記バッテリ出力変化情報と、検出した前記出力電圧値及び前記動作パターンと、に基づいて、現在時刻における前記バッテリの予測残値を算出するバッテリ残値算出手段と、
前記バッテリ残値算出手段による算出結果を出力する出力手段と、
を備えたことを特徴とする携帯型情報処理端末。
【請求項２】
前記電圧検出手段は、前記バッテリの出力電圧値が変化した時刻を前記バッテリ出力変化情報に含めて前記バッテリ出力変化記憶手段に記憶する、
ことを特徴とする請求項１記載の携帯型情報処理端末。
【請求項３】
前記バッテリ残値算出手段は、前記バッテリ出力変化情報に含まれる現在における出力電圧値に変化した時刻から、現在時刻までに消費された前記バッテリの消費量を算出し、前記バッテリの予測残値を算出する、
ことを特徴とする請求項２記載の携帯型情報処理端末。
【請求項４】
前記バッテリの予測残値は、当該バッテリの残容量、及び／あるいは、当該バッテリによる携帯型情報処理端末の駆動可能残時間である、
ことを特徴とする請求項１，２又は３記載の携帯型情報処理端末。
【請求項５】
前記消費量記憶手段は、前記動作パターンに応じた前記バッテリの各出力電圧値における予め設定された残り駆動時間を表す残時間情報を記憶し、
前記バッテリ残値算出手段は、前記残時間情報に基づいて前記バッテリによる携帯型情報処理端末の前記駆動可能残時間を算出する、
ことを特徴とする請求項４記載の携帯型情報処理端末。
【請求項６】
予めユーザによって設定された目標時刻を記憶する目標時刻記憶手段を備えると共に、
前記バッテリ残値算出手段は、算出された前記駆動可能残時間に基づいて前記バッテリによる携帯型情報処理端末の駆動が前記目標時刻まで継続可能か否かを判断し、
この判断結果を、前記出力手段が出力する、
ことを特徴とする請求項４又は５記載の携帯型情報処理端末。
【請求項７】
前記バッテリ出力変化記憶手段に蓄積された前記バッテリ出力変化情報に基づいて、前記消費量記憶手段に記憶されている情報を修正記憶する修正手段を備えた、
ことを特徴とする請求項１，２，３，４，５又は６記載の携帯型情報処理端末。
【請求項８】
ユーザからの操作に応じて携帯型情報処理端末にて作動させる動作パターンを設定する動作パターン設定手段を備え、
前記バッテリ残値算出手段は、前記消費量情報と、前記バッテリ出力変化情報と、前記電圧検出手段にて検出された前記出力電圧値と、前記動作パターン設定手段にて設定された動作パターンと、に基づいて、現在時刻における前記バッテリの予測残値を算出する、
ことを特徴とする請求項１，２，３，４，５，６又は７記載の携帯型情報処理端末。
【請求項９】
バッテリを装備した携帯型情報処理端末に、
前記バッテリの出力電圧値を検出すると共に、検出した出力電圧値の変化状況をバッテリ出力変化情報として記憶する電圧検出手段と、
携帯型情報処理端末にて作動中の動作パターンを検出する動作パターン検出手段と、
予め記憶された携帯型情報処理端末にて作動可能な動作パターン毎における前記バッテリの消費量を表す消費量情報と、記憶された前記バッテリ出力変化情報と、検出した前記出力電圧値及び前記動作パターンと、に基づいて、現在時刻における前記バッテリの予測残値を算出するバッテリ残値算出手段と、
前記バッテリ残値算出手段による算出結果を出力する出力手段と、
を実現させるためのプログラム。
【請求項１０】
前記バッテリの予測残値は、当該バッテリの残容量、及び／あるいは、当該バッテリによる携帯型情報処理端末の駆動可能残時間である、
ことを特徴とする請求項９記載のプログラム。
【請求項１１】
前記バッテリ残値算出手段は、算出された前記駆動可能残時間に基づいて前記バッテリによる携帯型情報処理端末の駆動が予め設定された目標時刻まで継続可能か否かを判断し、
この判断結果を、前記出力手段が出力する、
ことを特徴とする請求項１０記載のプログラム。
【請求項１２】
前記携帯型情報処理端末に、蓄積された前記バッテリ出力変化情報に基づいて当該携帯型情報処理端末に記憶されている情報を修正記憶する修正手段を実現させる、
ための請求項９，１０又は１１記載のプログラム。
【請求項１３】
前記携帯型情報処理端末に、ユーザからの操作に応じて携帯型情報処理端末にて作動させる動作パターンを設定する動作パターン設定手段を実現させると共に、
前記バッテリ残値算出手段は、前記消費量情報と、前記バッテリ出力変化情報と、前記電圧検出手段にて検出された前記出力電圧値と、前記動作パターン設定手段にて設定された動作パターンと、に基づいて、現在時刻における前記バッテリの予測残値を算出する、
ことを特徴とする請求項９，１０，１１又は１２記載のプログラム。
【請求項１４】
バッテリを装備した携帯型情報処理端末にてバッテリを管理する方法であって、
前記バッテリの出力電圧値を検出すると共に、検出した出力電圧値の変化状況をバッテリ出力変化情報として記憶する電圧検出工程と、
この電圧検出工程に前後して、携帯型情報処理端末にて作動中の動作パターンを検出する動作パターン検出工程と、
予め記憶された携帯型情報処理端末にて作動可能な動作パターン毎における前記バッテリの消費量を表す消費量情報と、記憶された前記バッテリ出力変化情報と、検出した前記出力電圧値及び前記動作パターンと、に基づいて、現在時刻における前記バッテリの予測残値を算出するバッテリ残値算出工程と、
前記バッテリ残値算出工程による算出結果を出力する出力工程と、
を有することを特徴とするバッテリ管理方法。
【請求項１５】
前記バッテリの予測残値は、当該バッテリの残容量、及び／あるいは、当該バッテリによる携帯型情報処理端末の駆動可能残時間である、
ことを特徴とする請求項１４記載のバッテリ管理方法。
【請求項１６】
前記バッテリ残値算出工程は、算出された前記駆動可能残時間に基づいて前記バッテリによる携帯型情報処理端末の駆動が予め設定された目標時刻まで継続可能か否かを判断し、
この判断結果を、前記出力工程にて出力する、
ことを特徴とする請求項１５記載のバッテリ管理方法。
【請求項１７】
前記電圧検出工程にて蓄積された前記バッテリ出力変化情報に基づいて当該携帯型情報処理端末に記憶されている情報を修正記憶する修正工程を有する、
ことを特徴とする請求項１４，１５又は１６記載のバッテリ管理方法。
【請求項１８】
ユーザからの操作に応じて携帯型情報処理端末にて作動させる動作パターンを設定する動作パターン設定工程を有し、
前記バッテリ残値算出工程は、前記消費量情報と、前記バッテリ出力変化情報と、前記電圧検出工程にて検出された前記出力電圧値と、前記動作パターン設定工程にて設定された動作パターンと、に基づいて、現在時刻における前記バッテリの予測残値を算出する、
ことを特徴とする請求項１４，１５，１６又は１７記載のバッテリ管理方法。
【発明の詳細な説明】
【技術分野】
【０００１】
本発明は、携帯型情報処理端末にかかり、特に、バッテリを装備し当該バッテリを管理する機能を有する携帯型情報処理端末に関する。
【背景技術】
【０００２】
昨今の携帯端末は、本来の電話機能の他にカメラやビデオ機能、音楽再生機能あるいはＢｌｕｅｔｏｏｔｈ機能等、様々な便利機能が追加実装され、端末のバッテリ消費量も年々増加傾向にある。そのため、不意なバッテリ切れによってユーザに不都合が生じないよう、バッテリ電流やバッテリ電圧を測定して、バッテリ残量やバッテリ残時間を表示したり、あるいは指定バッテリ電圧以下になった場合、消費電力を抑えるために使用できる機能を限定する、などの機能が装備されている。
【０００３】
例えば、下記特許文献１には、バッテリ残容量と、ある定められた回数分の単位時間あたりの消費電力の平均値から、該当動作モードの消費電力に更新して残時間を算出する、という技術が開示されている。しかし、多くの機能の組み合わせから動作させることができる昨今の携帯端末において動作したことがない動作モードを選択した場合には、測定する回数分の時間が経過しないと残時間を算出できない、という問題が生じ、さらには、実動作以外は残時間を算出することができない、という問題があった。また、下記特許文献２には、動作機能毎に予め登録したバッテリ消費量のみ使ってバッテリ残時間を算出する技術が開示されている。しかし、バッテリ消費量が変動する電圧の変化による補正がなく、適切な算出結果にならない、という問題があった。
【０００４】
【特許文献１】特開平９−１８１８０４号公報
【特許文献２】特開２００２−３２０３３６号公報
【発明の開示】
【発明が解決しようとする課題】
【０００５】
このため、本発明では、上記従来例の有する不都合を改善し、特に、より高精度にバッテリ残値を算出し、不意なバッテリ切れを抑制し、ユーザにとって利便性の高い携帯型情報処理端末を提供する、ことをその目的とする。
【課題を解決するための手段】
【０００６】
そこで、本発明の一形態である携帯型情報処理端末は、
バッテリを装備し、
携帯型情報処理端末にて作動可能な動作パターン毎における前記バッテリの消費量を表す消費量情報が予め記憶されたバッテリ消費量記憶手段と、
バッテリの出力電圧値の変化状況を表すバッテリ出力変化情報が記憶されるバッテリ出力変化記憶手段と、
バッテリの出力電圧値を検出すると共に、検出した出力電圧値の変化状況をバッテリ出力変化情報としてバッテリ出力変化記憶手段に記憶する電圧検出手段と、
携帯型情報処理端末にて作動中の動作パターンを検出する動作パターン検出手段と、
消費量情報と、バッテリ出力変化情報と、検出した出力電圧値及び動作パターンと、に基づいて、現在時刻におけるバッテリの予測残値を算出するバッテリ残値算出手段と、
バッテリ残値算出手段による算出結果を出力する出力手段と、
を備えたことを特徴としている。
【０００７】
そして、電圧検出手段は、バッテリの出力電圧値が変化した時刻をバッテリ出力変化情報に含めてバッテリ出力変化記憶手段に記憶する、ことを特徴としている。また、バッテリ残値算出手段は、バッテリ出力変化情報に含まれる現在における出力電圧値に変化した時刻から、現在時刻までに消費されたバッテリの消費量を算出し、バッテリの予測残値を算出する、ことを特徴としている。
【０００８】
また、特に、バッテリの予測残値は、当該バッテリの残容量、及び／あるいは、当該バッテリによる携帯型情報処理端末の駆動可能残時間である。そして、消費量記憶手段は、動作パターンに応じたバッテリの各出力電圧値における予め設定された残り駆動時間を表す残時間情報を記憶し、バッテリ残値算出手段は、残時間情報に基づいてバッテリによる携帯型情報処理端末の駆動可能残時間を算出する、ことを特徴としている。
【０００９】
上記発明によると、まず、携帯型情報処理端末には、予め設定された動作パターン毎におけるバッテリの消費量情報が記憶されている。そして、携帯型情報処理端末が作動すると、バッテリの出力電圧値が検出され、この出力電圧値の変化状況がバッテリ出力変化情報として記憶される。具体的には、出力電圧値の値が変化すると、その時刻が記憶され、つまり、出力電圧値の時系列変化が記憶されることとなる。その後、携帯型情報処理端末では、現在のバッテリの出力電圧値と、作動している動作パターンとを検出し、これらの情報と、予め記憶されているバッテリの消費量情報、さらには、記憶された出力電圧値の時系列変化情報に基づいて、バッテリの残容量や駆動可能な残時間を算出して、出力する。具体的には、バッテリの出力電圧値が現在の値になった時刻を読み出し、この時刻から現在時刻までに、作動している動作パターンにて消費された容量を算出することで、より正確な現時点におけるバッテリの残容量を算出することができる。従って、端末のバッテリ残値をより高精度に予測することができ、ユーザはバッテリ切れをより正確に認識することができる。その結果、不意なバッテリ切れを避けることができ、ユーザにとって利便性が向上しうる。
【００１０】
また、予めユーザによって設定された目標時刻を記憶する目標時刻記憶手段を備えると共に、バッテリ残値算出手段は、算出された駆動可能残時間に基づいてバッテリによる携帯型情報処理端末の駆動が目標時刻まで継続可能か否かを判断し、この判断結果を、出力手段が出力する、ことを特徴としている。これにより、上述したように算出された現在時刻におけるバッテリ残値に基づいて、所定の時刻までバッテリが持つか否かが自動的に算出され、その結果が出力される。従って、ユーザを希望する時刻までバッテリが持つか否かを当該ユーザが容易に認識することができ、さらなる利便性の向上を図ることができる。
【００１１】
また、バッテリ出力変化記憶手段に蓄積されたバッテリ出力変化情報に基づいて、消費量記憶手段に記憶されている情報を修正記憶する修正手段を備えた、ことを特徴としている。これにより、実際のバッテリの変化に応じて、消費量記憶手段に記憶される消費量情報や残時間情報などが自動的に修正される。従って、バッテリの劣化などに対応してより正確なバッテリ残値を算出することができる。
【００１２】
また、ユーザからの操作に応じて携帯型情報処理端末にて作動させる動作パターンを設定する動作パターン設定手段を備え、バッテリ残値算出手段は、消費量情報と、バッテリ出力変化情報と、電圧検出手段にて検出された出力電圧値と、動作パターン設定手段にて設定された動作パターンと、に基づいて、現在時刻におけるバッテリの予測残値を算出する、ことを特徴としている。これにより、ユーザが設定した動作パターンにおいて、バッテリの残値を算出することができる。従って、ユーザは、現時点における動作パターン毎のバッテリの駆動可能時間などを容易に認識することができ、例えば、目標とする時間までバッテリを持たせるなどの設定を容易に行うことができる。
【００１３】
また、本発明の他の形態であるプログラムは、
バッテリを装備した携帯型情報処理端末に、
バッテリの出力電圧値を検出すると共に、検出した出力電圧値の変化状況をバッテリ出力変化情報として記憶する電圧検出手段と、
携帯型情報処理端末にて作動中の動作パターンを検出する動作パターン検出手段と、
予め記憶された携帯型情報処理端末にて作動可能な動作パターン毎におけるバッテリの消費量を表す消費量情報と、記憶されたバッテリ出力変化情報と、検出した出力電圧値及び前記動作パターンと、に基づいて、現在時刻におけるバッテリの予測残値を算出するバッテリ残値算出手段と、
バッテリ残値算出手段による算出結果を出力する出力手段と、
を実現させる、ことを特徴としている。
【００１４】
そして、バッテリの予測残値は、当該バッテリの残容量、及び／あるいは、当該バッテリによる携帯型情報処理端末の駆動可能残時間である。また、バッテリ残値算出手段は、算出された駆動可能残時間に基づいてバッテリによる携帯型情報処理端末の駆動が予め設定された目標時刻まで継続可能か否かを判断し、この判断結果を、出力手段が出力する、ことを特徴としている。
【００１５】
また、上記プログラムは、携帯型情報処理端末に、蓄積されたバッテリ出力変化情報に基づいて当該携帯型情報処理端末に記憶されている情報を修正記憶する修正手段を実現させる、ことを特徴としている。さらに、携帯型情報処理端末に、ユーザからの操作に応じて携帯型情報処理端末にて作動させる動作パターンを設定する動作パターン設定手段を実現させると共に、バッテリ残値算出手段は、消費量情報と、バッテリ出力変化情報と、電圧検出手段にて検出された出力電圧値と、動作パターン設定手段にて設定された動作パターンと、に基づいて、現在時刻におけるバッテリの予測残値を算出する、ことを特徴としている。
【００１６】
また、本発明の他の形態であるバッテリを装備した携帯型情報処理端末によるバッテリ管理方法は、
バッテリの出力電圧値を検出すると共に、検出した出力電圧値の変化状況をバッテリ出力変化情報として記憶する電圧検出工程と、
この電圧検出工程に前後して、携帯型情報処理端末にて作動中の動作パターンを検出する動作パターン検出工程と、
予め記憶された携帯型情報処理端末にて作動可能な動作パターン毎におけるバッテリの消費量を表す消費量情報と、記憶されたバッテリ出力変化情報と、検出した出力電圧値及び動作パターンと、に基づいて、現在時刻におけるバッテリの予測残値を算出するバッテリ残値算出工程と、
バッテリ残値算出工程による算出結果を出力する出力工程と、
を有することを特徴としている。
【００１７】
そして、上記バッテリの予測残値は、当該バッテリの残容量、及び／あるいは、当該バッテリによる携帯型情報処理端末の駆動可能残時間である。また、バッテリ残値算出工程は、算出された駆動可能残時間に基づいてバッテリによる携帯型情報処理端末の駆動が予め設定された目標時刻まで継続可能か否かを判断し、この判断結果を、出力工程にて出力する、ことを特徴としている。
【００１８】
また、上記バッテリ管理方法は、電圧検出工程にて蓄積されたバッテリ出力変化情報に基づいて当該携帯型情報処理端末に記憶されている情報を修正記憶する修正工程を有する、ことを特徴としている。さらに、ユーザからの操作に応じて携帯型情報処理端末にて作動させる動作パターンを設定する動作パターン設定工程を有し、バッテリ残値算出工程は、消費量情報と、バッテリ出力変化情報と、電圧検出工程にて検出された出力電圧値と、動作パターン設定工程にて設定された動作パターンと、に基づいて、現在時刻におけるバッテリの予測残値を算出する、ことを特徴としている。
【００１９】
上記構成のプログラムや方法の発明であっても、上述した携帯型情報処理端末と同様に作用するため、上記本発明の目的を達成することができる。
【発明の効果】
【００２０】
本発明は、以上のように構成され機能するので、これによると、携帯型情報処理端末の現時点におけるバッテリの残値をより高精度に予測して算出することができ、ユーザはバッテリ切れをより正確に認識することができるため、不意なバッテリ切れを避けることができ、利便性の向上を図ることができる、という従来にない優れた効果を有する。
【発明を実施するための最良の形態】
【００２１】
本発明の携帯型情報処理端末は、現時点におけるバッテリの残値をより正確に算出する構成を有することに特徴を有する。以下、実施例にて、その詳細な構成及び動作を説明する。なお、実施例では、携帯型情報処理端末の一例として携帯電話機を挙げて説明するが、ＰＤＡやノートパソコン、電子辞書、ポータブルオーディオプレーヤーなど、いかなる情報処理端末であってもよい。
【実施例１】
【００２２】
本発明の第１の実施例を、図１乃至図１０を参照して説明する。図１乃至図３は、携帯電話機の構成を示す図であり、図４乃至図５は、記憶されているデータを示す図である。図６乃至図７は、携帯電話機の画面の表示例を示す図であり、図８乃至図１０は、携帯電話機の動作を示す図である。
【００２３】
［構成］
本実施例における携帯電話機１は、図１の外観図に示すように、表示部であるメインＬＣＤ画面１１と、操作部であるキーボード１２と、マイク１３と、スピーカ１４と、を備えている。また、図２のブロック図に示すように、携帯電話機１は、その内部には、携帯電話機１自体の動作を制御するＣＰＵである制御部２と、所定の情報を記憶するフラッシュメモリである記憶部３と、を備えている。以下、特に、制御部２及び記憶部３について説明する。
【００２４】
図２に示すように、制御部２には、所定のプログラムが組み込まれることにより、マイク１３から入力される音声やスピーカ１４から出力する音声を処理する音声処理部２１と、キーボード１２にて入力されたキーを判別するキーコード認識部２２と、メインＬＣＤ画面の表示状態を制御する画面制御部２３と、が構築されている。そして、画面制御部２３には、バッテリの状態を管理するバッテリ管理処理部２４が構築されている。また、記憶部３には、バッテリデータ記憶部３１が形成されている。
【００２５】
そして、図３に示すように、バッテリ管理処理部２４には、さらに、制御部２１に組み込まれたプログラムによって、管理設定処理部２４１と、バッテリ電圧読取処理部２４２と、動作パターン検出処理部２４３と、バッテリ残値算出処理部２４４と、が構築されている。これら各処理部２４１〜２４４は、必要に応じて処理内容をメインＬＣＤ画面１１に表示する機能を備えている。また、バッテリデータ記憶部３１には、設定記憶部３１１と、バッテリ出力変化記憶部３１２と、バッテリ消費量記憶部３１３と、が形成されている。以下、各処理部２４１〜２４４、及び、各記憶部３１１〜３１３について、さらに詳述する。
【００２６】
まず、管理設定処理部２４１は、キーボード１２からユーザにて入力された情報に基づいて、バッテリ管理に関する各種設定を行い、設定情報を設定記憶部３１１に記憶する機能を有する。例えば、図７（ｂ）のバッテリ設定画面に示すように、バッテリ管理機能を有効／無効にする設定や、バッテリの劣化によるデフォルトデータとの差分を補正する補正モードを有効／無効にする設定を行う機能を有する。また、管理設定処理部２４１は、図７（ｂ）のバッテリ設定画面に示すように、バッテリ管理機能を有効にしたときに、ユーザが希望する携帯電話機１のバッテリが持続する目標日時（目標時刻）の入力を受け付けて、当該目標日時情報を設定記憶部３１１（目標時刻記憶手段）に記憶する機能を有する。さらに、管理設定処理部２４１は、図６のバッテリ情報警告画面や図７（ｃ）のバッテリ情報画面に示すように、ユーザから携帯電話機１にて作動させる予定の動作パターンのパターン番号の入力を受け付けて、当該動作パターンにてバッテリの残値を算出するよう設定を行う機能を有する（動作パターン設定手段）。
【００２７】
ここで、バッテリ消費量記憶部３１３（バッテリ消費量記憶手段）は、図４に示すように、携帯電話機１が作動可能な全機能、つまり、動作パターンに対して、各動作パターン作動時のバッテリ消費量を表す消費量情報が記憶されている。この消費量情報は、例えば、予め実験により測定された値や理論演算によって算出された値、さらには、後述するように、これまでのバッテリ残値の算出結果に基づいて修正記録された値である。例えば、図４には、携帯電話機にて作動可能な動作パターンであるメイン機能（例えば、待ち受けやカメラや音楽再生機能等）が８種類存在し、また、同様に動作パターンであるサブ機能（バックライト設定のように各メイン機能共通に設定できる機能）が複数種類存在している場合を示している。具体的には、メイン機能である動作パターンをＰ１からＰ８パターンにバッテリ消費量により分類し、バッテリ充電完了時のバッテリ電圧ＢＴ１０からバッテリがなくなるＢＴ０まで０．１Ｖ単位（一定電圧毎）に分割し、各電圧の各動作パターンにおけるバッテリ消費量を登録している。なお、分割した電圧は、メモリや読み込み精度により、可能な限り細かくしてもよく、逆に、分割幅を広くしてもよい。同様に、サブ機能としてＰ１００からＰ１０５等にバッテリ消費量単位に分類し登録している。また、図４中の最大消費量は、バッテリの最大容量を表している。なお、各動作パターンの残容量情報は、後述するように、バッテリ残値の算出結果に基づいて修正記録されうる。
【００２８】
また、バッテリ消費量記憶部３１３のバッテリ残時間欄には、上述した動作パターン毎に、各出力電圧値における携帯電話機１の残り駆動時間を表す残時間情報が記憶されている。例えば、動作パターンＰ１にてバッテリ出力電圧がＢＴ７（４．１Ｖ）である場合には、残り１６０時間の駆動が可能であると記憶されている。但し、このバッテリ残時間は、現在のバッテリ残容量と、動作パターン及び当該動作パターンにおける消費量が判れば算出可能な情報である。なお、この残時間情報も、後述するように、これまでのバッテリ残値の算出結果に基づいて修正記録されうる。
【００２９】
次に、バッテリ電圧読取処理部２４２（電圧検出手段）は、現在のバッテリの出力電圧値を検出する。また、動作パターン検出処理部２４３（動作パターン検出手段）は、携帯電話機１にて作動中の動作パターン、つまり、上述したメイン機能やサブ機能のうちどの機能が作動しているか、を検出する。そして、上記バッテリ電圧読取処理部２４２と動作パターン検出処理部２４３は、検出した動作パターン（複数の場合は動作パターンの組み合わせ）や、一定の電圧間隔毎に作動した日時データを、バッテリ出力変化情報としてバッテリ出力変化記憶部３１２（バッテリ出力変化記憶手段）に記憶する。ここで、バッテリ出力変化記憶部３１２の内に記憶されるバッテリ出力変化情報の一例を図５に示す。この図に示すように、充電完了からバッテリ断までを１サイクルとして、動作パターンやその消費量、各出力電圧値に変化したときの日時情報など、バッテリの変化状況が記憶される。具体的には、充電完了した８月１日１２時３０分より動作パターンＰ５＋Ｐ１００＋Ｐ１０２で２時間動作し、次にＰ６＋Ｐ１０３で１時間、Ｐ２＋Ｐ１０２＋Ｐ１０２で１時間、そして、Ｐ７＋Ｐ１００＋Ｐ１０７で３．７時間、連続で使用した結果、バッテリがなくなったことを示す。そして、各バッテリ電圧毎に対応して記載されている時刻は、そのバッテリ電圧になった時刻を記憶したものである。また、消費量欄は、図４に示すバッテリ消費量情報より作動している各動作パターンのバッテリ消費量を合計したものであり、動作機能欄は実際に動作した機能を読み出した結果をメモリしたものである。なお、このバッテリ変化情報は、次回の充電時には、既存データを履歴として格納し、後述するように、同一動作パターンの比較データとして使用したり、バッテリ劣化等による動作時間短縮分を算出し、以降の残時間算出時に補正に利用する。
【００３０】
次に、バッテリ残値算出処理部２４４（バッテリ残値算出手段、出力手段）は、現在時刻におけるバッテリの残りの予測値（予測残値）、つまり、バッテリの残容量や、残駆動可能時間（残時間）を算出し、メインＬＣＤ画面１１に出力する機能を有する。なお、算出結果の出力は、メインＬＣＤ画面１１に限定されず、サブ画面でもよく、あるいは、音やランプ点灯などによる出力であってもよい。
【００３１】
具体的に、バッテリ残値算出処理部２４４は、読み出した現在時刻におけるバッテリ出力電圧値と、動作パターンと、当該バッテリ出力電圧値及び動作パターンに対応するバッテリ消費量記憶部３１３に記憶された消費量情報及びバッテリ出力変化記憶部３１２に記憶されたバッテリ出力変化情報と、に基づいて、バッテリ残容量とバッテリ残時間を算出する。その算出例を図７（ａ）に示すバッテリ情報画面を参照して説明する。なお、図７（ａ）は、図６（ａ）に示す機能画面からＭＥＮＵキーを長押しすることにより、かかる画面へと遷移する。このとき、上述したように現時点におけるバッテリの出力電圧値や携帯電話機１にて作動中の動作パターンが検出され、バッテリ残容量とバッテリ残時間が算出される。なお、ここでは、現在の時刻が１８：００であり、現在のバッテリの出力電圧値が３．８Ｖであり、さらに、作動中の動作パターンが、Ｐ７，Ｐ１００，Ｐ１０７であることとする。
【００３２】
まず、図７（ａ）の最上行の「バッテリ情報」は画面のタイトルであり、その下にバッテリの詳細情報を表示するものである。１行目の「Battery  partial」は、現在表示中のバッテリアイコンとアイコンの説明であり、２行目の「残容量」が、現在時刻における算出されたバッテリの残容量である。その算出方法としては、まず、例えば、携帯電話機１が動作するバッテリ電圧範囲が４．３Ｖから３．３Ｖの１．０Ｖの場合、現在検出された電圧が３．８Ｖである場合に、（４．３Ｖ−３．８Ｖ）／１．０Ｖ×１００＝５０％、と算出する。続いて、図５のバッテリ出力変化情報より、３．８Ｖになった時間が１７時４６分であることから、現在の時刻である１８：００まで１４分間経過したことを検出する。そして、この１４分間に作動した動作パターンＰ７＋Ｐ１００＋Ｐ１０７の１時間あたりのバッテリ消費量が２０３であることから、１４／６０×２０３＝４７を算出する。つまり、この算出された４７という値は、現在の出力電圧値３．８Ｖになったときから、現在時刻までに消費されたバッテリ消費量を表している。以上から、図４に示す最大容量１０００に対し、０．１Ｖあたりのバッテリ消費量１００より、残容量３．８Ｖの５０％から３．７Ｖの４０％に向けて１０％のバッテリ消費の中で、４７／１００×１００＝４７％が消費したことを算出し、残容量（５０―（４７／１０））＝４５．３％を算出することができる。この値が現時点でのバッテリの残容量の割合であり、図７（ａ）の２行目に示すように表示される。なお、３行目の「有効日時」は、複数存在するアイコンの中で現在表示している「Battery  partial」が表示した時刻１７時１６分を表示するものである。
【００３３】
また、４行目の「残時間」は、上述したように算出したバッテリ残容量から残時間を算出した結果を表示している。例えば、バッテリ残容量は上述したように４５．３％であると算出されているため、最大消費量１０００×４５．３％＝４５３という容量を、作動中の動作パターンの消費量で除算して、４５３／２０３＝２．２時間が残時間として得られる。なお、残時間は、現状動作中の動作パターンと、図４に示す各動作パターンに対応するバッテリ残時間情報とに基づいて、最も近いバッテリ消費量と動作パターンから残時間を算出してもよい。また、５行目の「動作パターン」は、上述したように検出された現状動作中の機能を表示している。
【００３４】
また、バッテリ残値算出処理部２４４は、図７（ａ）に示すバッテリ情報画面において、動作パターン欄にカーソルを合わせて左右キーを押すことにより各パターンにカーソルを移動し、別の動作パターン番号に変更したり、削除したり編集することができる。そして、図７（ｂ）の現在の動作パターンであるＰ７＋Ｐ１００＋Ｐ１０４から、図７（ｃ）に示すように動作パターンＰ１に変更した場合に、この変更設定された動作パターンと、現在の出力電圧値と、記憶されている消費量情報やバッテリ出力変化情報と、に基づいて、上述同様に、バッテリ残値であるバッテリ容量や残時間を算出する。すると、図７（ｃ）の例では、上記算出された残時間である２．２Ｈから９４Ｈに延びることがわかり、ユーザは実際に動作させることなく、現在のバッテリ残量と携帯電話機１に登録されている動作パターンをいろいろ組み合わせ設定し、各動作パターンにおける残時間を知ることができる。なお、動作パターンは、必ずメイン機能を入力し、設定されたメイン機能に対し、設定可能なサブ機能のみ表示、選択できるようにしたものである。本機能により、ユーザは携帯端末が有する登録された動作パターンを任意に組み合わせ設定することにより、残時間の最大あるいは最小になる機能を動作させることなく知ることができるので、例えば音楽再生機能で音楽を継続して聴いても帰宅するまでバッテリが持つか、あるいは現状使用中の動作パターンの中で、メイン機能はそのまま使用し、サブ機能のみ変更することによりバッテリが持つか等、容易に知ることができる。
【００３５】
また、バッテリ残値算出処理部２４４は、上述したようなバッテリ残容量及び残時間の算出を一定の時間間隔毎に常時実行し、算出した残時間に基づいて、ユーザが設定した目標時刻までバッテリ駆動が可能な否かを判断し、その判断結果を出力する機能を有する。そして、目標日時までバッテリが持たないと判断されると、例えば、図６（ｂ）のようなバッテリ情報警告画面が表示される。そして、このバッテリ情報警告画面においては、ユーザは、携帯電話機１にて作動させる機能である動作パターンを変更して設定することができる。例えば、図６（ｂ）のカーソル箇所に示すように、動作パターンＰ７からＰ１に変更することで、実際に作動する動作パターンは変更されないが、仮に動作パターンＰ１を作動させたときのバッテリ残時間が算出される。つまり、上述同様に、ここで設定された動作パターンと、現在の出力電圧値と、記憶されている消費量情報やバッテリ出力変化情報と、に基づいて、バッテリ残値であるバッテリ容量や残時間が算出される。
【００３６】
また、バッテリ残値算出処理部２４４は、上述した設定処理部２４１にて図７（ｂ）に示すように「補正モード」を有効設定した場合に、実際にバッテリ出力変化記憶部３１２に蓄積されたバッテリの状況を表す図５に示すバッテリ出力変化情報に基づいて、バッテリ消費量記憶部３１３に記憶された図４に示す消費量情報等を修正記憶する機能を有する（修正手段）。つまり、設定された同一の動作パターンにおいてデフォルトで登録されている消費量情報や残時間情報などのデータと、実測したデータとの差分をチェックし、差分があればデフォルトデータである図４に示すデータを補正する機能を有する。具体的には、Ｐ８の動作パターンでＢＴ５からＢＴ４までの消費時間がデフォルトで０．２Ｈであるのに対し、実測が０．１５Ｈであった場合、以降の算出したバッテリ残時間を０．１５／０．２＝０．７５倍にデフォルトデータを補正することで、バッテリの劣化に対応して補正することができる。
【００３７】
［動作］
次に、上記構成の携帯電話機１の動作を、図８乃至図１０のフローチャートを参照して説明する。まず、携帯電話機１は、各画面処理（ステップＳ１）において、例えば、図７（ｂ）に示すバッテリ設定画面で設定されたバッテリ管理機能が有効か否かをチェックする（ステップＳ２）。そして、無効の場合には（ステップＳ２でＮｏ）、既存のバッテリ電圧を定期に読み出し、バッテリの残容量状況を表す該当のアイコンを画面上に表示するバッテリ電圧定期処理を実行する（ステップＳ３）。一方、有効の場合（ステップＳ２でＹｅｓ）、バッテリ電圧を読み込むと共に（電圧検出工程）、動作パターンを抽出し（動作パターン検出工程）、図５に示すバッテリ出力変化情報を作成すると共に、バッテリの残値を算出するバッテリ管理処理へ遷移する（ステップＳ４、バッテリ残値算出工程、出力工程）。ここで、バッテリ管理処理の詳細な動作について、図９及び図１０を参照して説明する。
【００３８】
図９は、バッテリ管理処理（ステップＳ４）の詳細を示すフローチャートである。まず、バッテリ電圧処理では（ステップＳ２０、電圧検出工程）では、現在のバッテリ電圧読み込み処理と、図５に示すように各電圧に達した時刻をメモリする。続いて、動作パターン検出処理（ステップＳ２１、動作パターン検出工程）では、動作中のメイン機能とサブ機能を抽出し、図５に示すようにメモリする。ここで、この動作パターン検出処理（ステップＳ２１）のさらなる詳細な動作を、図１０のフローチャートに示す。まず、動作中のメイン機能を抽出し、図４のメイン動作パターンＰ１からＰ８の中から該当機能を抽出するメインパターン処理を実行する（ステップＳ３０）。同様にサブ機能として有効な機能を抽出し、サブパターンをＰ１００からＰ１０５から抽出するサブパターン処理を実行する（ステップＳ３１）。そして、抽出した動作パターンと、図４より組み合わせのバッテリ消費量を算出し、現在時刻と図５のデータより、残時間を算出する残時間処理（ステップＳ３２（ステップＳ２２））を実行し、処理を終了する（ステップＳ３３）。
【００３９】
続いて、図９のステップＳ２２に示すバッテリ残時間処理（バッテリ残値算出工程）に戻って説明する。バッテリ残時間処理（ステップＳ２２）では、バッテリ電圧処理（ステップＳ２０）と動作パターン検出処理（ステップＳ２１）にて検出した出力電圧値と動作パターンに基づいて、上述したように残容量と残時間を算出し、抽出した動作パターンと合わせて図７（ａ）に示すようなバッテリ情報表示画面に表示する（出力工程）。このとき、後述する図７（ｂ）に示すバッテリ設定画面にてバッテリを持たせたい目標日時が現在時刻以降設定されているかをチェックし（ステップＳ２３）、設定されている場合には（ステップＳ２３でＹｅｓ）、かかる目標日時までバッテリが待つか否かを調べる（ステップＳ２４）。算出した残時間からバッテリが目標日時まで持つ場合には（ステップＳ２４でＹｅｓ）、各画面処理へ戻る（ステップＳ１）。一方、バッテリが目標日時まで持たない場合には（ステップＳ２４でＮｏ）、図６（ｂ）に示すバッテリ情報警告画面を表示するバッテリ情報警告画面処理へ遷移する（ステップＳ２５）。その後、Ｂａｃｋキーが押されるなど、バッテリ情報警告画面を終了するか否かをチェックし（ステップＳ２６）、終了の場合、バッテリ管理終了処理へ遷移する（ステップＳ２７）。なお、このバッテリ情報警告画面にて、動作パターンの修正設定が行われた場合には（動作パターン設定工程）、変更された動作パターンに基づいて残時間を算出し（バッテリ残値算出工程）、この新たに算出された残時間を表示する（出力工程）。
【００４０】
次に、図８のステップＳ５に戻って説明する。ここでは、図６（ａ）に示す機能画面において、バッテリ管理処理（ステップＳ４）の結果を表示するバッテリ情報表示画面（図７（ａ））へ遷移させるために、ＭＥＮＵキーが長押しされたかチェックする（ステップＳ５）。そして、ＭＥＮＵキーが長押しされた場合には（ステップＳ５でＹｅｓ）、図７（ａ）に示すバッテリ情報画面を表示するバッテリ情報表示処理へ遷移する（ステップＳ６）。このバッテリ情報表示処理では、先ず、現在表示しているバッテリアイコンやアイコン説明並びにバッテリアイコン表示が有効になった時刻を図５のバッテリ出力変化情報から読み出し、有効日時に表示する。また、バッテリ情報表示処理では（ステップＳ８）、上述したバッテリ管理処理（ステップＳ４）にて算出された残容量や残時間並びに動作パターンを表示する（出力工程）。
【００４１】
その後、バッテリ情報表示を終了するか否かをチェックし（ステップＳ９）、終了でなければ（ステップＳ９でＮｏ）、バッテリ設定が選択されたか否かをチェックする（ステップＳ１０）。そして、ＭＥＮＵキーが押されるなどバッテリ設定が選択された場合には（ステップＳ１０でＹｅｓ）、図７（ｂ）に示すバッテリ設定画面を表示してバッテリ設定処理へ遷移する（ステップＳ１１）。このバッテリ設定画面では、上述したように、バッテリ管理機能の有効／無効の設定及び目標日時の設定と、バッテリの劣化によるデフォルトデータとの差分を補正する補正モードの有効／無効の設定を行うことができる。このとき、特に補正が必要な動作パターンを設定することもできる。
【００４２】
その後、バッテリ設定が終了か否かをチェックし（ステップＳ１２）、Ｂａｃｋキーが押されるなど終了であれば（ステップＳ１２でＹｅｓ）、バッテリ情報表示処理へ戻る（ステップＳ６）。一方、図７（ａ）に示すバッテリ情報画面で、動作パターン編集処理か否かをチェックし（ステップＳ１３）、動作パターンが書き換えられるよう選択された場合には（ステップＳ１３でＹｅｓ）、図７（ｃ）に示すバッテリ情報表示画面の動作パターン編集処理へ遷移する（ステップＳ１４）。ここで、動作パターンの修正設定が行われた場合には（動作パターン設定工程）、変更された動作パターンに基づいて残時間を算出し（バッテリ残値算出工程）、この新たに算出された残時間を表示する（出力工程）。その後、動作パターン編集処理が終了の場合（ステップＳ１５でＹｅｓ）、バッテリ情報表示処理へ遷移する（ステップＳ６）。
【００４３】
なお、ステップＳ１１にてバッテリ設定を行い、補正モードを有効にした場合には、図５に示すようにバッテリ出力変化情報が蓄積された後の任意のタイミング、例えば、次回の充電時に、上記バッテリ出力変化情報を別のエリアに履歴として格納し、設定された同一動作パターンの比較データとして使用したり、バッテリ劣化等による動作時間短縮分を算出し、図４の消費量情報等を修正し（修正工程）、以降の残容量や残時間の算出時に利用する。例えば、所定の動作パターンの所定の電圧値におけるデフォルトで登録した消費量情報や残時間情報と、実測したデータとの差分をチェックし、差分があれば、かかる差分に応じてデフォルトデータ（図４に示す消費量情報等）を補正する。これにより、バッテリの劣化などに対応して、後のバッテリ管理処理時にはより正確な残時間等を算出することができる。なお、差分が大きい場合には、バッテリが劣化した旨を、ユーザに通知するよう表示出力してもよい。
【００４４】
以上のように、本実施例における携帯電話機によると、現在のバッテリの出力電圧値と、作動している動作パターンとを検出し、これらの情報と、予め記憶されているバッテリの消費量情報、さらには、記憶された出力電圧値の時系列変化情報に基づいて、バッテリの残容量や駆動可能な残時間を算出して、出力することができる。具体的には、バッテリの出力電圧値が現在の値になった時刻を読み出し、この時刻から現在時刻までに、作動している動作パターンにて消費された容量を算出することで、より正確なバッテリの残容量を算出することができる。従って、携帯電話機のバッテリ残値をより高精度に予測することができ、ユーザはバッテリ切れをより正確に認識することができる。その結果、不意なバッテリ切れを避けることができ、ユーザにとって利便性が向上しうる。
【００４５】
また、所定の時刻までバッテリが持つか否かが自動的に算出され、その結果が出力されるため、ユーザを希望する時刻までバッテリが持つか否かを当該ユーザが容易に認識することができ、さらなる利便性の向上を図ることができる。
【００４６】
さらに、実際のバッテリの劣化等による変化に応じて、登録されている消費量情報や残時間情報などが自動的に修正されるため、バッテリの劣化などに対応してより正確なバッテリ残値を算出することができる。また、ユーザにバッテリの劣化を通知することもでき、バッテリの交換を促すことができる。
【００４７】
また、ユーザは、任意に動作パターンを設定してバッテリの残値を算出することができるため、様々な状況におけるバッテリの持続時間を知ることができる。例えば、目標とする時間までバッテリを持たせるなどの設定を容易に行うことができ、さらなる利便性の向上を図ることができる。
【産業上の利用可能性】
【００４８】
本発明は、携帯電話機、ＰＨＳ（Personal Handyphone System）、ＰＤＡ（Personal Data Assistance，Personal Digital Assistants：個人向け携帯型情報通信機器）等の携帯型情報処理端末に利用することができ、産業上の利用可能性を有する。
【図面の簡単な説明】
【００４９】
【図１】携帯電話機の外観を示す図である。
【図２】携帯電話機の構成を示すブロック図である。
【図３】図２に開示したバッテリ管理処理部とバッテリデータ記憶部３１の構成を示す機能ブロック図である。
【図４】図３に開示したバッテリ消費量記憶部内のデータの一例を示す図である。
【図５】図３に開示したバッテリ出力変化記憶部内のデータの一例を示す図である。
【図６】携帯電話機に表示される画面例を示す図である。
【図７】携帯電話機に表示される画面例を示す図である。
【図８】携帯電話機の動作を示すフローチャートである。
【図９】図８に示すバッテリ管理処理の詳細な動作を示すフローチャートである。
【図１０】図９に示す動作パターン検出処理の詳細な動作を示すフローチャートである。
【符号の説明】
【００５０】
１  携帯電話機
２  制御部
３  記憶部
１１  メインＬＣＤ画面
１２  キーボード
１３  マイク
１４  スピーカ
２１  音声処理部
２２  キーコード認識部
２３  画面制御部
２４  バッテリ管理処理部
３１  バッテリデータ記憶部
２４１  管理設定処理部
２４２  バッテリ電圧読取処理部
２４３  動作パターン検出処理部
２４４  バッテリ残値算出処理部
３１１  設定記憶部
３１２  バッテリ出力変化記憶部
３１３  バッテリ消費量記憶部
【図１】
2008136289.tif 000003
【図２】
2008136289.tif 000004
【図３】
2008136289.tif 000005
【図４】
2008136289.tif 000006
【図５】
2008136289.tif 000007
【図６】
2008136289.tif 000008
【図７】
2008136289.tif 000009
【図８】
2008136289.tif 000010
【図９】
2008136289.tif 000011
【図１０】
2008136289.tif 000012